(57)【特許請求の範囲】
【請求項１】
紙幣挿入口から挿入された紙幣を紙幣搬送路に沿って搬送する紙幣搬送手段と、
該紙幣搬送手段により搬送された紙幣の幅方向両端部を該紙幣の長手方向に沿って嵌挿するスリットが形成された一対の紙幣案内ドラムを有し、該一対の紙幣案内ドラムを同位相で互いに反対方向へ回転させることにより前記スリット内に嵌挿した紙幣をスタッカー側へ移動させる紙幣移動手段と、
前記一対の紙幣案内ドラム間に配設され、前記スタッカー内に収容された紙幣が前記紙幣搬送路内に突出することを防止する紙幣逆戻り防止レバーであって、
第１の軸を介し回動自在に支承され、前記紙幣案内ドラムの外径より短い第１のレバーと、
該第１のレバーを前記紙幣搬送路側へ常時付勢する第１の付勢手段と、
前記第１のレバーの前記紙幣搬送路側への所定回転角度以上の回転を規制する第１のストッパーと、
前記第１のレバーの先端部に第２の軸を介し回動自在に支承される第２のレバーと、
該第２のレバーの前記紙幣搬送路側への所定回転角度以上の回転を規制する第２のストッパーと、
前記第２のレバーを前記紙幣搬送路側へ常時付勢する第２の付勢手段とを少なくとも有する紙幣逆戻り防止レバー
とを具えたこと特徴とする紙幣処理装置。
【発明の詳細な説明】
【０００１】
【発明の属する技術分野】
この発明は、自動販売機、両替機、パチンコ玉貸機、メタル貸機等に使用される紙幣処理装置に関する。
【０００２】
【従来の技術】
一般に紙幣（クーポン券等を含む）を取り扱う自動販売機等の機器本体内には、挿入された紙幣の真偽を判別するとともに、真券と見なされた紙幣のみを蓄積収容するようにした紙幣処理装置が装着されている。
【０００３】
図２０は従来の紙幣処理装置１を示す要部破断概念側面図である。
【０００４】
この紙幣処理装置１は、装置本体２と、該装置本体２の背面２ａに配設されるスタッカー３７から構成されている。
【０００５】
また、このうち装置本体２には、紙幣挿入口３に連通するＬ字形状の紙幣搬送路４と、紙幣挿入口３から挿入された紙幣を紙幣搬送路４へ案内する紙幣搬送手段１１と、紙幣搬送路４を開閉するシャッター手段１８と、紙幣搬送手段１１により搬送され、該シャッター手段１８を通過した紙幣の真偽を判別する磁気ヘッド等からなる紙幣識別手段１９と、該紙幣識別手段１９により真券と判断された紙幣を１枚ずつスタッカー３７側へ移動させる紙幣移動手段２０と、該紙幣移動手段２０により一度スタッカー３７内に収容された紙幣が紙幣搬送路４内に突出することを防止する紙幣逆戻り防止レバー３０とが配設されている。
【０００６】
また、このうちのＬ字形状の紙幣搬送路４は、本願出願人が先に提案した特願平１０−１４１３５０号の明細書に開示されているように、上下シュート５、６からなる水平部４ａとシュート７、８からなる垂直部４ｂとからなり、このうち水平部４ａの下シュート６全域と垂直部４ｂの下シュート８上流は、略Ｌ字形状のボックス９により一体形成されている。また、このボックス９は、図２１の一点鎖線で示すように、当該ボックス９の両側面と装置本体２の内周面両側方とに形成された、例えばガイド溝と該ガイド溝内に案内されるガイド突起からなる図示せぬスライド支承手段を介し矢印Ａ方向へ向け着脱自在に装着されている。なお、図２１は、従来の紙幣処理装置の動作を示す要部概念平面図で、図２０と同一部分を同一符号で示している。
【０００７】
また、紙幣搬送手段１１は、図２０で示すように、紙幣搬送路４の水平部４ａおよび垂直部４ｂに沿って張設された無端の紙幣搬送ベルト１２と、該紙幣搬送ベルト１２を回転駆動するプーリ１３、１４、１５、１６からなる紙幣搬送ベルト駆動手段１７とから構成されている。
【０００８】
また、紙幣移動手段２０は、本願出願人が先に提案した特願平５−２７６５９２号の明細書に開示されているように、図２０で示す装置本体２の両サイド長手方向に配設され、その上下端を軸として一方向に回転自在に支承された一対の紙幣案内ドラム２１から構成されている。また、この紙幣案内ドラム２１の周面には、紙幣の幅方向端部を嵌挿するスリット２２が紙幣搬送路４に沿って形成されており、このスリット２２は、紙幣処理装置の要部概念断面図で示す図２２のように、初期位置において紙幣搬送路４と位置決め合致されている。なお、この紙幣移動手段２０の詳細については、特願平５−２７６５９２号の明細書を参照されたい。
【０００９】
また、紙幣逆戻り防止レバー３０は、一対の紙幣案内ドラム２１間に配設され、軸２６を中心に回動自在に支承されているＬ字形状のレバー２５からなり、該レバー２５は、紙幣案内ドラム２１の外径２１ａよりも短い長さに設定されている長軸２５ａと、装置本体２の筐体に配設されたバネ支承部３１に支承されたバネ２７からなる付勢手段２８に連結されている短軸２５ｂから構成されている。
【００１０】
また、このうちの長軸２５ａは、装置本体２の筐体に形成された孔２９から紙幣案内ドラム２１に向けその先端部２５ｃが出没自在であって、その先端２５ｅは付勢手段２８によって常時紙幣搬送路４側に付勢されている。また、短軸２５ｂには、その先端２５ｄにレバーの紙幣搬送路４側への所定回転角度以上の回転を規制するストッパー３２が形成されている。
【００１１】
このような紙幣処理装置１によると、図２０で示すように、紙幣挿入口３内に紙幣１０１（図２２）を挿入すると、紙幣検出センサにより挿入紙幣１０１の有無が検出され、その検出信号に基づき反時計方向へ正転する紙幣搬送ベルト１２の搬送力により、挿入紙幣１０１は紙幣搬送路４の水平部４ａに沿って図面の右方向へ水平搬送される。また同時にシャッタ手段１８（図２０）が駆動され、それによりシャッターを図面左方向へ移動させて紙幣搬送路４の垂直部４ｂを拡開する。
【００１２】
一方、挿入紙幣１０１が紙幣搬送ベルト１２の正転により紙幣搬送路４の水平部４ａに沿って図面の右方向へ水平搬送され、次に紙幣搬送路４の垂直部４ｂに沿って略９０度上方へ搬送されると、紙幣搬送路４の垂直部４ｂに配設された紙幣識別手段１９より挿入紙幣１０１の真偽が判定される。
【００１３】
そして、紙幣識別手段１９により挿入紙幣１０１が偽券と判断されると、紙幣搬送ベルト１２が反転（時計方向へ回転）して、当該挿入紙幣１０１は紙幣挿入口３から返却される。
【００１４】
また、挿入紙幣１０１が紙幣識別手段１９により真券と判断された場合は、その検出信号に基づき紙幣搬送ベルト１２の正転が持続し、挿入紙幣１０１はさらに紙幣搬送路４の下流へ搬送される。
【００１５】
その後、挿入紙幣１０１の先端１０１ａが紙幣案内ドラム２１のスリット２２下端２２ａに嵌挿すると、挿入紙幣１０１は同時に紙幣案内ドラム２１のスリット２２の端部と紙幣搬送ベルト１２（図２０）との間に挟持されるので、これにより挿入紙幣１０１はさらに紙幣搬送ベルト１２の搬送力によりスリット２２に沿って図２２の矢印Ｂの方向に搬送される。
【００１６】
そして、紙幣１０１の下端１０１ｂが、図２２と同一部分を同一符号で示す図２３で示すように、紙幣案内ドラム２１のスリット２２内の所定位置に達したことが図示せぬセンサ等により検出されると、紙幣搬送ベルト１２（図２０）の正転が停止するとともに紙幣案内ドラム２１が反対方向に同位相で回転し、これにより、スリット２２内に嵌挿された紙幣１０１は図２３の矢印Ｃで示すようにスタッカー３７側に平行移動する。
【００１７】
また、紙幣１０１が紙幣案内ドラム２１の回転によってスタッカー３７側に平行移動すると、通常の長手方向の寸法を有する紙幣１０１は、図２２と同一部分を同一符号で示す図２４で示すように、その下端１０１ｂがレバー２５の長軸２５ａに当接するとともに該レバー２５を軸２６を中心に回動させるので、これによりレバー２５は孔２９内に徐々に退避され、紙幣１０１は紙幣案内ドラム２１の回転によってさらにスタッカー３７側に平行移動する。
【００１８】
また、紙幣１０１が、紙幣案内ドラム２１の回転によってスタッカー３７側に平行移動しスタッカー３７に達すると、すなわち、紙幣１０１を嵌挿するスリット２２が紙幣案内ドラム２１の回転により紙幣案内ドラム２１の外径２１ａに達すると、紙幣１０１は図示せぬスタックバネを介して図示せぬスタッカープレートと紙幣案内ドラム２１の外周面との間に挟持され、その際同時に、紙幣搬送路４を構成し、紙幣案内ドラム２１の回転に応じてスタッカー３７側に移動するシュート３４（図２８）によって押されるので、紙幣１０１はスリット２２から解放され、これによりスタッカー３７内に確実に押し込められ収容される。
【００１９】
一方、レバー２５は、長軸２５ａの長さが紙幣案内ドラム２１の外径２１ａよりも短く設定されているから、図２２と同一部分を同一符号で示す図２５で示すように、紙幣１０１を嵌挿するスリット２２が紙幣案内ドラム２１の回転によって紙幣案内ドラム２１の外径２１ａに達する前に、紙幣１０１の下端１０１ｂは長軸２５ｂ先端２５ｅから離間し、レバー２５は付勢手段２８の付勢力により初期位置に復帰する。
【００２０】
したがって、投入紙幣１０１は図２２と同一部分を同一符号で示す図２６で示すようにスタッカー３７内に積載収容されるとともにその下端１０１ｂが紙幣逆戻り防止レバー３０と係合するので、これにより、一度スタッカー３７内に収容された紙幣１０１が紙幣搬送路４内に突出し、次に収容される紙幣の搬送が妨害されることを防止している。
【００２１】
【発明が解決しようとする課題】
ところで、上述した従来の紙幣処理装置１によると、レバー２５は、その長軸２５ａの長さが紙幣案内ドラム２１の外径２１ａよりも短く設定されており、一方、紙幣はその性質上長手方向の寸法にばらつきがあるため、長手方向の寸法が短い紙幣が投入され、当該紙幣がスタッカー３７に収容された場合には、図２７、図２７の概念上面図で示す図２８のように、その紙幣１０２が紙幣逆戻り防止レバー３０の先端部２５ｃに係合せず、スタッカー３７内に先に収容された他の紙幣または図示せぬスタッカープレートにより押圧されその幅方向略中央１０２ｃが紙幣搬送路４に突出し、これにより一度スタッカー３７内に収容された紙幣１０２が、次に収容される紙幣の搬送を妨害する虞があった。
【００２２】
また、特に、図２８で示すように、スタッカー３７内に収容された紙幣１０２は、幅方向略中央１０２ｃに空気が入りこんで紙幣搬送路４側に膨らみやすいので、上述した虞は問題となっていた。
【００２３】
この発明は上述した事情に鑑み、スタッカー内に収容された紙幣が紙幣搬送路内に突出して次の搬送紙幣の処理を妨害することを可及的に阻止する紙幣処理装置を提供することを目的とする。
【００２４】
【課題を解決するための手段】
上述した課題を解決するため、この発明に係わる紙幣処理装置では、紙幣挿入口から挿入された紙幣を紙幣搬送路に沿って搬送する紙幣搬送手段と、該紙幣搬送手段により搬送された紙幣の幅方向両端部を該紙幣の長手方向に沿って嵌挿するスリットが形成された一対の紙幣案内ドラムを有し、該一対の紙幣案内ドラムを同位相で互いに反対方向へ回転させることにより前記スリット内に嵌挿した紙幣をスタッカー側へ移動させる紙幣移動手段と、前記一対の紙幣案内ドラム間に配設され、前記スタッカー内に収容された紙幣が前記紙幣搬送路内に突出することを防止する紙幣逆戻り防止レバーであって、第１の軸を介し回動自在に支承され、前記紙幣案内ドラムの外径より短い第１のレバーと、該第１のレバーを前記紙幣搬送路側へ常時付勢する第１の付勢手段と、前記第１のレバーの前記紙幣搬送路側への所定回転角度以上の回転を規制する第１のストッパーと、前記第１のレバーの先端部に第２の軸を介し回動自在に支承される第２のレバーと、該第２のレバーの前記紙幣搬送路側への所定回転角度以上の回転を規制する第２のストッパーと、前記第２のレバーを前記紙幣搬送路側へ常時付勢する第２の付勢手段とを少なくとも有する紙幣逆戻り防止レバーとを具えている。
【００２５】
【発明の実施の形態】
以下、この発明に係わる紙幣処理装置の一実施例を詳述する。
【００２６】
図１はこの発明に係わる紙幣処理装置の要部破断概念側面図で、図２０と同一部分を同一符号で示す。
【００２７】
この発明に係わる紙幣処理装置は、従来の紙幣処理装置に比し、以下に挙げる３点についてその構造が大きく相違する。
【００２８】
（１）紙幣逆戻り防止レバーの構造
（２）装置本体からスタッカーを離脱する際、スタッカー内に収容された紙幣がスタッカーの下方から落下することを防止する収容紙幣落下防止手段の構造
（３）装置本体に着脱自在に装着されるボックスの着脱手段の構造
そこで、（１）から（３）について順次その構造部分を詳述するが、まず、本願の発明に係る（１）紙幣逆戻り防止レバーの構造部分について説明する。
【００２９】
この紙幣処理装置５１は、矩形状の装置本体５２と、該装置本体５２の背面５２ａに着脱自在に装着されるスタッカー７１から構成されている。
【００３０】
このうち、装置本体５２には、紙幣挿入口３に連通するＬ字形状の前記紙幣搬送路４と、紙幣挿入口３から挿入された紙幣を紙幣搬送路４へ案内する前記紙幣搬送手段１１と、紙幣搬送路４を開閉する前記シャッター手段１８と、紙幣搬送手段１１により搬送され、該シャッター手段１８を通過した紙幣の真偽を判別する磁気ヘッド等からなる前記紙幣識別手段１９と、該紙幣識別手段１９により真券と判断された紙幣を１枚ずつスタッカー７１側へ移動させる前記紙幣移動手段２０とが配設されている。
【００３１】
また、このうちの紙幣搬送手段１１は、従来同様、紙幣搬送路４の水平部４ａおよび垂直部４ｂに沿って張設された無端の紙幣搬送ベルト１２と、該紙幣搬送ベルト１２を回転駆動するプーリ１３、１４、１５、１６からなる紙幣搬送ベルト駆動手段１７とから構成されている。
【００３２】
一方、スタッカー７１は、従来のスタッカー３７（図２０）に相当する筐体３５と、該筐体３５に配設され、一度スタッカー７１内に収容された紙幣が紙幣搬送路４内に突出することを防止する紙幣逆戻り防止レバー８０とから構成されている。
【００３３】
また、このうちの紙幣逆戻り防止レバー８０は、図２で示すように、スタッカー７１正面７１ａに形成された切り欠き７２内に配設されており、前記レバーに相当する第１のレバー２５と、前記付勢手段に相当する第１の付勢手段２８と、前記ストッパーに相当する第１のストッパー３２と、第２のレバー７９と、第２の付勢手段７７と、第２のストッパー７６とから構成されている。なお、図２は、紙幣処理装置の要部概念斜視図であって、図１と同一機能を有する部分を同一符号で示している。また、図２で示すように、スタッカー７１に形成された切り欠き７２は、スタッカー７１を装置本体５２に装着した際、装置本体５２背面５２ａに形成された切り欠き５３に当接し、孔５４を形成する。
【００３４】
また、このうちの第１のレバー２５は、一対の紙幣案内ドラム２１間（図１）に配設されたＬ字形状のレバーからなり、この第１のレバー２５は、紙幣案内ドラム２１（図１）の外径２１ａよりも短い長さに設定されている長軸２５ａと、スタッカー７１に形成された切り欠き７２の下面７２ａに当接する突出部２５ｆが配設された短軸２５ｂとから構成されている。また、第１のレバー２５の折れ曲がり部２５ｇは、切り欠き７２の両端に差し渡された第１の軸２６に嵌挿している。また、短軸２５ｂに形成された突出部２５ｆは、第１のストッパー３２を構成する。
【００３５】
また、第１のレバー２５の長軸２５ａは、その先端部２５ｃに、上方に向け切り欠き７３が形成されており、該切り欠き７３には、その略中央に第２の軸７４が差し渡されている。また、切り欠き７３には、第２の軸７４よりやや紙幣搬送路４側下方に、第２のストッパー７６を構成する軸７５が差し渡されている。
【００３６】
また、第１の付勢手段２８は、スタッカー７１に配設されたバネ支承部８４に支承された一端２７ａと、第１のレバー２５の短軸２５ｂに連結している他端２７ｂとからなるバネ２７により構成されている。
【００３７】
また、第２のレバー７９は、その後端７９ｂが、紙幣搬送路４（図１）側に形成された舌片７９ｃと、第２の軸７４を嵌挿する略断面円弧形状の軸支承部７９ｄから構成されており、該後端７９ｂ全体は第１のレバー２５の切り欠き７３に嵌挿している。
【００３８】
また、第２の付勢手段７７は、第２の軸７４に巻回され、第１のレバー２５の長軸２５ａに連結する一端７８ａと第２のレバー７９に連結する他端７８ｂからなるバネ７８から構成されている。
【００３９】
このように構成された紙幣逆戻り防止レバー８０では、第１のレバー２５は第１の軸２６を中心に回動自在に支承されるとともに、第１の付勢手段２８により常時紙幣搬送路４側に付勢されている。また、第１のレバー２５の紙幣搬送路４側への回転は、第１のレバー２５に形成された突出部２５ｆが切り欠き７２の下面７２ａに当接することによって、所定回転角度以内に規制されている。また、第２のレバー７９は第２の軸７４を中心に回動自在に支承されるとともに、第２の付勢手段７７により常時紙幣搬送路４側に付勢されている。また、第２のレバー７９の紙幣搬送路４側への回転は、舌片７９ｃが軸７５に当接することにより、所定回転角度以内に規制されている。
【００４０】
次に、上述した紙幣処理装置５１の動作を説明する。
【００４１】
この紙幣処理装置５１では、紙幣搬送路４、紙幣搬送手段１１、シャッター手段１８、および紙幣識別手段１９は従来と同様の動作を行うため、ここでは、真券と判断された挿入紙幣が、紙幣案内ドラム２１のスリット２２内に嵌挿する動作以降の動作について詳述する。
【００４２】
この紙幣処理装置５１では、図２と同一部分を同一符号で示す図３のように、初期位置において、紙幣案内ドラム２１のスリット２２は紙幣搬送路４に位置決め合致されている。
【００４３】
また、紙幣逆戻り防止レバー８０は、初期位置において、その第１のレバー２５が、突出部２５ｆの切り欠き部７２下面７２ａへの当接によって、その長軸２５ａ先端２５ｅを紙幣搬送路４と平行方向で、かつ、紙幣案内ドラム２１側に向けて孔５４を介して突出させており、第２のレバー７９は、舌片７９ｃによる軸７５への当接によって、レバー全体を紙幣搬送路４と平行方向で、かつ、紙幣案内ドラム２１側に向け孔５４を介して突出させている。
【００４４】
一方、真券である挿入紙幣１０１が紙幣搬送手段１１により紙幣搬送路４に沿って搬送され、その先端が紙幣案内ドラムのスリット２２の下端２２ａ（図２２）に嵌挿すると、挿入紙幣１０１は同時に紙幣案内ドラム２１のスリット２２端部と紙幣搬送ベルト１２（図１）との間に挟持されるので、これにより挿入紙幣１０１はさらに紙幣搬送ベルト１２の搬送力によりスリット２２に沿ってその上方に搬送される。
【００４５】
そして、紙幣１０１の下端１０１ｂが、図３で示すように、紙幣案内ドラム２１のスリット２２内の所定位置に達したことが図示せぬセンサ等により検出されると、紙幣搬送ベルト１２の正転が停止するとともに紙幣案内ドラム２１が反対方向に同位相で回転し、これにより、スリット２２内に嵌挿された紙幣１０１はスタッカー７１側に平行移動する。
【００４６】
また、このように紙幣１０１が紙幣案内ドラム２１の回転によってスタッカー７１側に平行移動すると、通常の長手方向の寸法を有する紙幣１０１は、図３と同一部分を同一符号で示す図４のようにその下端１０１ｂが第１のレバー２５の長軸２５ａに当接するとともに第１の付勢手段２８の付勢力に抗して該第１のレバー２５を押圧し、第１の軸２６を中心に時計方向に回転させるので、これにより第１のレバー２５はその長軸２５ａの後端側から徐々に孔５４内に退避され、紙幣１０１はさらに紙幣案内ドラム２１の回転によってスタッカー７１側に平行移動する。なお、紙幣１０１が紙幣案内ドラム２１の回転によってスタッカー７１側に平行移動すると、その下端１０１ｂが第１のレバー２５に当接する位置は第１のレバー２５先端２５ｅ側に徐々に移動する。また、第２のレバー７９は、舌片７９ｃが軸７５に当接している初期位置を維持しつつ、第１のレバー２５とともに回転する。
【００４７】
そして、紙幣１０１が紙幣案内ドラム２１の回転によってさらにスタッカー７１側に平行移動すると、紙幣１０１の下端１０１ｂは、図３と同一部分を同一符号で示す図５のように、第１のレバー２５から離間して第２のレバー７９に当接する。すると第１のレバー２５は、第１の付勢手段２８の付勢力により第１の軸２６を中心に反時計方向に徐々に回転する。一方、第２のレバー７９は、紙幣１０１の下端１０１ｂの押圧力により第２の付勢手段７７の付勢力に抗して第２の軸７４を中心に時計方向に回転し、その先端７９ａを徐々に孔５４内に退避させるので、紙幣１０１はさらに紙幣案内ドラム２１の回転によってスタッカー７１側に平行移動する。なお、紙幣１０１がスタッカー７１側に平行移動すると、その下端１０１ｂが第２のレバー７９に当接する位置は第２のレバー７９先端７９ａ側に徐々に移動する。
【００４８】
そして、紙幣１０１が紙幣案内ドラム２１の回転によってさらにスタッカー７１側に平行移動すると、紙幣１０１の下端１０１ｂは、図３と同一部分を同一符号で示す図６のように、第２のレバー７９の先端７９ａから離間する。紙幣１０１の下端１０１ｂが第２のレバー７９の先端７９ａから離間すると、第２のレバー７９は、第２の付勢手段７７の付勢力により第２の軸７４を中心に反時計方向へ回転し、一方、第１のレバー２５は、第１の付勢手段２８の付勢力により第１の軸２６を中心に反時計方向へ回転する。そして、ついには、第１、第２のレバー２５、７９はいずれも初期位置に復帰する。
【００４９】
また、その後、紙幣１０１が，紙幣案内ドラム２１の回転によってさらにスタッカー７１側に平行移動されスタッカー７１に達すると、紙幣１０１は図示せぬスタックバネを介して図示せぬスタッカープレートと紙幣案内ドラム２１の外周面との間に挟持され、その際同時に、紙幣搬送路４を構成し紙幣案内ドラム２１の回転に応じてスタッカー７１側に移動するシュート３４（図２８）によって押されるので、紙幣１０１はスリット２２から解放され、これにより、図３と同一部分を同一符号で示す図７のように、スタッカー７１内に確実に押し込められ収容される。また、スリット２２内の紙幣１０１がスタッカー７１に達するとき、紙幣案内ドラム２１のスリット２２は、紙幣案内ドラム２１の外径２１ａの位置に達している。
【００５０】
したがって、通常の長手方向の寸法を有する投入紙幣１０１は、図７で示すようにスタッカー７１内に積載収容されるとともにその下端１０１ｂが紙幣逆戻り防止レバー８０と係合し、これにより、一度スタッカー７１内に収容された紙幣１０１がスタッカー７１内に先に収容された他の紙幣または図示せぬスタッカープレートにより押圧されその幅方向略中央１０１ｃが紙幣搬送路４内に突出し、次に収容される紙幣の搬送を妨害する虞を可及的に防止することができる。
【００５１】
一方、スリット２２内に嵌挿してスタッカー７１側に平行移動する紙幣が長手方向の寸法が短い紙幣１０２である場合には、該紙幣１０２が紙幣案内ドラム２１の回転によってスタッカー７１側に平行移動すると、図３と同一部分を同一符号で示す図８のように紙幣１０２下端１０２ｂが第２のレバー７９に当接するとともに第２の付勢手段７７の付勢力に抗して該第２のレバー７９を押圧し、第２の軸７４を中心に時計方向に回転させるので、これにより第２のレバー７９は徐々に紙幣１０２の移動方向から退避され、紙幣１０２はさらに紙幣案内ドラム２１の回転によってスタッカー７１側に平行移動する。なお、紙幣１０２が紙幣案内ドラム２１の回転によってスタッカー７１側に平行移動すると、その下端１０２ｂが第２のレバー７９に当接する位置は第２のレバー７９先端７９ａ側に徐々に移動する。なお、第１のレバー２５は、第２のレバー７９が第２の付勢手段７７の付勢力に抗して回転するため、第２の付勢手段７７の反発力によって、第１の軸２６を中心に、第１の付勢手段２８の付勢力に抗して若干時計方向に回転する。
【００５２】
そして、紙幣１０２が紙幣案内ドラム２１の回転によってさらにスタッカー７１側に平行移動すると、紙幣１０２の下端１０２ｂは、図３と同一部分を同一符号で示す図９のように、第２のレバー７９の先端７９ａから離間する。すると、第２のレバー７９は、第２の付勢手段７７の付勢力により第２の軸７４を中心に反時計方向へ回転し、一方、第１のレバー２５も、第１の付勢手段２８の付勢力により第１の軸２６を中心に反時計方向へ回転する。そして、ついには、第１、第２のレバー２５、７９はいずれも初期位置に復帰する。
【００５３】
また、その後、紙幣１０２が紙幣案内ドラム２１の回転によってさらにスタッカー７１側に平行移動され、スリット２２内の紙幣１０２がスタッカー７１に達すると、紙幣１０２は図示せぬスタックバネを介して図示せぬスタッカープレートと紙幣案内ドラム２１の外周面との間に挟持され、その際同時に、紙幣搬送路４を構成し、紙幣案内ドラム２１の回転に応じてスタッカー７１側に移動するシュート３４（図２８）によって押されるので、紙幣１０２はスリット２２から解放され、これにより図３と同一部分を同一符号で示す図１０のように、スタッカー７１内に確実に押し込められ収容される。また、スリット２２内の紙幣１０２がスタッカー７１に達するとき、紙幣案内ドラム２１は、そのスリット２２が図で示す紙幣案内ドラム２１の外径２１ａの位置に達している。
【００５４】
したがって、長手方向の寸法が短い投入紙幣１０２についても、図１０で示すようにスタッカー７１内に積載収容されるとともにその下端１０２ｂが紙幣逆戻り防止レバー８０の第２のレバー７９の先端７９ａと係合し、これにより、一度スタッカー７１内に収容された当該紙幣１０２がスタッカー７１内に先に収容された他の紙幣または図示せぬスタッカープレートにより押圧されその幅方向略中央１０２ｃが紙幣搬送路４内に突出し、次に収容される紙幣の搬送を妨害する虞を可及的に防止することができる。
【００５５】
このように紙幣処理装置５１では、紙幣逆戻り防止レバー８０は、第１の軸２６を介し回動自在に支承され、紙幣案内ドラム２１の外径２１ａより短い第１のレバー２５と、該第１のレバー２５を紙幣搬送路４側へ常時付勢する第１の付勢手段２８と、第１のレバー２５の紙幣搬送路４側への所定回転角度以上の回転を規制する第１のストッパー３２と、第１のレバー２５の先端部２５ｃに第２の軸７４を介し回動自在に支承される第２のレバー７９と、該第２のレバー７９の紙幣搬送路４側への所定回転角度以上の回転を規制する第２のストッパー７６と、第２のレバー７９を紙幣搬送路４側へ常時付勢する第２の付勢手段７７とを少なくとも具えることとしたから、紙幣をスタッカー７１内に収容して復帰した初期位置において、紙幣案内ドラム２１に向け孔５４を介して突出する部分の長さが従来に比して長くなり、これにより挿入紙幣が長手方向の寸法が短い紙幣１０２である場合であっても、スタッカー７１内に収容された紙幣は確実に紙幣逆戻り防止レバー８０に係合することができる。
【００５６】
また、この紙幣処理装置５１では、第２のレバー７９は、紙幣案内ドラム２１の外径２１ａより短く第１の付勢手段２８によって紙幣搬送路４側へ常時付勢されている回動自在な第１のレバー２５の先端部２５ｃに、第２の軸７４を介し回動自在に支承されるとともに、第２の付勢手段７７によって紙幣搬送路４側へ常時付勢されているから、紙幣案内ドラム２１の回転駆動によって紙幣搬送路４に対し平行移動する紙幣逆戻り防止レバー８０が紙幣案内ドラム２１の外径２１ａに達する前、すなわち、紙幣がスタッカー７１に達する前に、紙幣下端は第２のレバー７９の先端７９ａから離間し、これにより、紙幣がスタッカー７１内に収容された際には紙幣逆戻り防止レバー８０は確実に初期位置に復帰させておくことができる。そのため、紙幣逆戻り防止レバー８０が、スタッカー７１内に先に収容された他の紙幣等により押圧される当該紙幣の下端に係合して初期位置に復帰できない虞は可及的に防止される。
【００５７】
したがって、挿入紙幣が長手方向の寸法が短い紙幣１０２である場合であっても、スタッカー７１内に収容された際には、当該紙幣１０２は確実に紙幣逆戻り防止レバー８０に係合することができ、一度スタッカー７１内に収容された紙幣１０２がスタッカー７１内に先に収容された他の紙幣または図示せぬスタッカープレートにより押圧されその幅方向略中央１０２ｃが紙幣搬送路４に突出し、次に収容される紙幣の搬送を妨害する虞を可及的に防止することができる。
【００５８】
すなわち、長手方向の寸法にばらつきがある性質を有する紙幣を、スタッカー７１内に収容した際、確実に紙幣逆戻り防止レバー８０に係合させることができ、一度スタッカー７１内に収容された紙幣が紙幣搬送路４内に突出し、次に収容される紙幣の搬送を妨害する虞を可及的に防止することができる。
【００５９】
また、特に、スタッカー７１内に収容された紙幣は幅方向略中央に空気が入りこんで紙幣搬送路４側に膨らみやすいので、この紙幣逆戻り防止レバー８０を具えることは前述した虞を防止するのに有効である。
【００６０】
また、この紙幣処理装置５１では、挿入紙幣を紙幣案内ドラム２１のスリット２２内の所定位置に位置決めする際、挿入紙幣がその位置決め不良によって所定位置より上方に位置決めされ、該紙幣がスタッカー７１内に収容された場合にも、当該紙幣は紙幣逆戻り防止レバー８０に係合することができるから、位置決め精度の向上を図ることなく、スタッカー７１内に収容された当該紙幣が紙幣逆戻り防止レバー８０に係合せず紙幣搬送路４内に突出し次に収容される紙幣の搬送を妨害する虞を可及的に防止することができる。
【００６１】
次に、（２）装置本体からスタッカーを離脱する際、スタッカー内に収容された紙幣がスタッカーの下方から落下することを防止する収容紙幣落下防止手段の構造部分について説明する。
【００６２】
この収容紙幣落下防止手段９１は、装置本体とスタッカーとが離脱した状態を示す要部概念破断面図で示す図１１のように、上述した紙幣逆戻り防止レバー８０から構成されている。
【００６３】
また、この紙幣逆戻り防止レバー８０は、図１１およびスタッカーの正面を示す図１２のように、スタッカー７１の正面７１ａであって筐体３５の下方略中央に配設された突出部９２に配設されている。
【００６４】
なお、スタッカー７１の正面７１ａには、筐体３５の上方略中央に突出部９３が配設されている。
【００６５】
この収容紙幣落下防止手段９１を具えた紙幣処理装置５１では、図１１で示すように、スタッカー７１の下方に配設された突出部９２を図示せぬ装置本体５２の背面５２ａであって長手方向略中央に形成された図示せぬ嵌合溝に嵌合させると、図２で示すように、切り欠き７２を装置本体５２の切り欠き５３に位置決め合致し、孔５４を形成することができる。さらに、図１１で示すスタッカー７１の上方に形成された突出部９３を装置本体５２の背面５２ａであって長手方向上方に形成された装着用溝に嵌合させると、図１で示すように、スタッカー７１を装置本体５２に装着することができる。
【００６６】
なお、図１３は、離脱したスタッカーを装置本体に装着した際のスタッカーの正面を示す概念平面図である。
【００６７】
また、上述した手順と逆の動作を行うと図１１で示すように装置本体５２からスタッカー７１を離脱することができるが、このように装置本体５２から離脱したスタッカー７１では、図１２で示すように、該スタッカー７１内に収容された紙幣１０１は、その略中央１０１ｃであって、紙幣１０１の側面下方および下端を、紙幣逆戻り防止レバー８０の第１のレバー２５および第２のレバー７９によって覆われ拘束されるので、装置本体５２からスタッカー７１を離脱する際、該スタッカー７１内に収容された紙幣１０１がスタッカー７１下方に落下することは可及的に防止され、これにより、紙幣の回収作業の安全性がさらに向上することとなる。
【００６８】
次に、（３）ボックスの着脱手段の構造部分について説明する。
【００６９】
図１で示すボックス９は、従来と同様、Ｌ字形状の紙幣搬送路４を構成する水平部４ａの下シュート６全域と垂直部４ｂの下シュート８上流部を一体形成した断面Ｌ字形状のボックス９である。なお、Ｌ字形状の紙幣搬送路４は、シュート６、７からなる水平部４ａとシュート８、９からなる垂直部４ｂとから構成されている。
【００７０】
また、このボックス９は、図１と同一部分を同一符号で示す図１４のように、着脱手段６１により装置本体５２に対し着脱自在に装着され、かつ、一時的に装置本体５２に回動自在に支承されるものである。なお、図１４は、紙幣処理装置５１の要部概念断面図であって、ボックス９に配設されたプーリ１５、１６等の図示を省略している。
【００７１】
この着脱手段６１は、装置本体５２の内周面両側方に形成されたガイド溝６２と、ボックス９の両側面に形成され、ガイド溝６２に案内されるガイド突起６５と、ガイド溝６２終端６２ｂで上方に向け形成されたガイド突起脱出孔６６と、装置本体５２の両側面であってガイド溝６２終端６２ｂに形成されたガイド突起支承用孔６７から構成される。
【００７２】
この着脱手段６１を具えた紙幣処理装置５１では、装置本体５２にボックス９が装着された図１４で示す初期状態において、ガイド突起６５は、ガイド溝６２の一端６２ａに嵌挿している。
【００７３】
また、装置本体５２からボックス９を離脱するには、ガイド溝６２内のガイド突起６５を、ガイド溝６２に沿って装置本体５２背面５２ａ側に案内し、図１４と同一部分を同一符号で示す図１５のように、該ガイド突起６５をガイド溝６２の終端６２ｂに当接させる。なお、このとき、ガイド突起６５は、ガイド突起支承用孔６７に嵌挿しているが、ガイド突起６５はその上方をガイド溝６２によって覆われているから、上方に案内することができない。
【００７４】
次に、このガイド突起６５を装置本体５２正面５２ｂ側にガイド溝６２に沿って案内すると、ガイド突起６５は、図１４と同一部分を同一符号で示す図１６のように嵌挿しているガイド支承用孔６７の一部６７ａに当接するので、さらにガイド支承用孔６７の形状に沿って上方に案内すると、ガイド突起６５は図１４と同一部分を同一符号で示す図１７のようにガイド突起脱出孔６６を通過し、ガイド突起６５とガイド溝６２との係合を解除することができるから、これにより図１４と同一部分を同一符号で示す図１８で示すように、装置本体５２からボックス９を離脱することができる。
【００７５】
また、図１８で示す離脱したボックス９を、上述した動作を逆の手順で行うとボックス９を装置本体５２に装着することができる。
【００７６】
また、図１５で示すガイド突起６５がガイド溝６２終端６２ｂに当接した状態では、ガイド突起６５はガイド突起支承用孔６７に嵌挿しており、これによりボックス９は装置本体５２に対し支承されているから、このときボックス９を支持している手を該ボックス９から放すと、ボックス９はその自重によりガイド突起６５を中心に下方へ回転する。
【００７７】
また、ボックス９が所定角度回転すると、ボックス９のガイド突起６５間に配設されている筐体の図示せぬ底面が装置本体５２の底面に形成された図示せぬ切り欠きに当接してその回転が規制されるから、ボックス９全体は図１４と同一部分を同一符号で示す図１９のように、ガイド突起６５およびガイド支承用孔６７を介して装置本体５２に支持されることとなる。
【００７８】
また、このとき、装置本体５２に支持されたボックス９の上方９ａには、解放スペースが形成されるから、このスペースを利用して、紙幣搬送手段１１、シャッター手段１８、または紙幣識別手段１９の保守点検や清掃を行うことができ、その際、オペレーターはボックス９を支持する必要はないので、作業効率を向上させることができる。
【００７９】
なお、ボックス９全体は図１９で示す装置本体５２に支持された状態から、ガイド突起６５を中心に反時計方向に回転させ図１５に示す状態に復帰させた後、上述した動作を行えば、ボックス９を装置本体５２から離脱することが可能である。
【００８０】
【発明の効果】
以上説明したように、この発明の紙幣処理装置では、紙幣逆戻り防止レバーは、第１の軸を介し回動自在に支承され、紙幣案内ドラムの外径より短い第１のレバーと、該第１のレバーを紙幣搬送路側へ常時付勢する第１の付勢手段と、第１のレバーの紙幣搬送路側への所定回転角度以上の回転を規制する第１のストッパーと、第１のレバーの先端部に第２の軸を介し回動自在に支承される第２のレバーと、該第２のレバーの紙幣搬送路側への所定回転角度以上の回転を規制する第２のストッパーと、第２のレバーを紙幣搬送路側へ常時付勢する第２の付勢手段とを少なくとも具えることとしたから、紙幣をスタッカー内に収容した際復帰している初期位置において、ドラムに向け孔を介して突出する部分の長さが従来に比して長くなり、これにより、挿入紙幣が長手方向の寸法が短い紙幣である場合であっても、スタッカー内に収容された紙幣は確実に紙幣逆戻り防止レバーに係合することができる。
【００８１】
また、この紙幣処理装置では、第２のレバーは、紙幣案内ドラムの外径より短く、第１の付勢手段によって紙幣搬送路側へ常時付勢されている回動自在な第１のレバーの先端に、第２の軸を介し回動自在に支承されるとともに、第２の付勢手段によって紙幣搬送路側へ常時付勢されているから、紙幣案内ドラムの回転駆動によって紙幣搬送路に対し平行移動するスリットが紙幣案内ドラムの外径に達する前、すなわち、紙幣がスタッカーに達する前に、紙幣下端は第２のレバーから離間し、これにより、紙幣がスタッカー内に収容された際には紙幣逆戻り防止レバーは確実に初期位置に復帰させておくことができる。そのため紙幣逆戻り防止レバーが、スタッカー内に先に収容された他の紙幣等により押圧される当該紙幣の下端に係合し、初期位置に復帰できない虞は可及的に防止される。
【００８２】
したがって、挿入紙幣が長手方向の寸法が短い紙幣である場合であっても、スタッカー内に収容された際には、当該紙幣は確実に紙幣逆戻り防止レバーに係合することができ、一度スタッカー内に収容された紙幣がスタッカー内に先に収容された他の紙幣または図示せぬスタッカープレートにより押圧されその幅方向略中央が紙幣搬送路に突出し、次に収容される紙幣の搬送を妨害する虞を可及的に防止することができる。
【００８３】
すなわち、この発明の紙幣処理装置では、長手方向の寸法にばらつきがある性質を有する紙幣をスタッカー内に収容した際、確実に紙幣逆戻り防止レバーに係合させることができ、一度スタッカー内に収容された紙幣が紙幣搬送路内に突出し次に収容される紙幣の搬送を妨害する虞を可及的に防止することができる。
【００８４】
なお、特に、スタッカー内に収容された紙幣は幅方向略中央に空気が入りこんで紙幣搬送路側に膨らみやすいので、この紙幣逆戻り防止レバーを具えることは詳述した虞を防止するのに有効である。
【図面の簡単な説明】
【図１】図１はこの発明に係わる紙幣処理装置の要部破断概念側面図。
【図２】図２はこの発明に係わる紙幣処理装置の要部概念斜視図。
【図３】図３はこの発明に係わる紙幣処理装置の動作を示す要部概念断面図。
【図４】図４はこの発明に係わる紙幣処理装置の動作を示す要部概念断面図。
【図５】図５はこの発明に係わる紙幣処理装置の動作を示す要部概念断面図。
【図６】図６はこの発明に係わる紙幣処理装置の動作を示す要部概念断面図。
【図７】図７はこの発明に係わる紙幣処理装置の動作を示す要部概念断面図。
【図８】図８はこの発明に係わる紙幣処理装置の動作を示す要部概念断面図。
【図９】図９はこの発明に係わる紙幣処理装置の動作を示す要部概念断面図。
【図１０】図１０はこの発明に係わる紙幣処理装置の動作を示す要部概念断面図。
【図１１】図１１はこの発明に係わる紙幣処理装置の装置本体からスタッカーを離脱した状態を示す要部破断概念側面図。
【図１２】図１２はこの発明に係わる紙幣処理装置を構成するスタッカーの動作を示す要部概念平面図。
【図１３】図１３はこの発明に係わる紙幣処理装置を構成するスタッカーの動作を示す要部概念断面図。
【図１４】図１４はこの発明に係わる紙幣処理装置を構成するボックスの着脱動作を示す要部概念断面図。
【図１５】図１５はこの発明に係わる紙幣処理装置を構成するボックスの着脱動作を示す要部概念断面図。
【図１６】図１６はこの発明に係わる紙幣処理装置を構成するボックスの着脱動作を示す要部概念断面図。
【図１７】図１７はこの発明に係わる紙幣処理装置を構成するボックスの着脱動作を示す要部概念断面図。
【図１８】図１８はこの発明に係わる紙幣処理装置を構成するボックスの着脱動作を示す要部概念平面図。
【図１９】図１９はこの発明に係わる紙幣処理装置を構成するボックスの着脱動作を示す要部概念平面図。
【図２０】図２０は従来の紙幣処理装置の要部破断概念側面図。
【図２１】図２１は、従来の紙幣処理装置を構成するボックスの着脱動作を示す要部概念平面図。
【図２２】図２２は、従来の紙幣処理装置の動作を示す要部概念断面図。
【図２３】図２３は、従来の紙幣処理装置の動作を示す要部概念断面図。
【図２４】図２４は、従来の紙幣処理装置の動作を示す要部概念断面図。
【図２５】図２５は、従来の紙幣処理装置の動作を示す要部概念断面図。
【図２６】図２６は、従来の紙幣処理装置の動作を示す要部概念断面図。
【図２７】図２７は、従来の紙幣処理装置の動作を示す要部概念断面図。
【図２８】図２８は、従来の紙幣処理装置の紙幣搬送路内にスタッカーに収容された紙幣が突出している状態を示す要部概念上面図。
【符号の説明】
３…紙幣挿入口
４…紙幣搬送路
１１…紙幣搬送手段
２０…紙幣移動手段
２１…一対の紙幣案内ドラム
２２…スリット
２５…第１のレバー
２５ｃ…先端部
２６…第１の軸
２８…第１の付勢手段
３２…第１のストッパー
５１…紙幣処理装置
７４…第２の軸
７６…第２のストッパー
７７…第２の付勢手段
７９…第２のレバー
８０…紙幣逆戻り防止レバー
【図１】
0003779077.tif 000002
【図２】
0003779077.tif 000003
【図３】
0003779077.tif 000004
【図４】
0003779077.tif 000005
【図５】
0003779077.tif 000006
【図６】
0003779077.tif 000007
【図７】
0003779077.tif 000008
【図８】
0003779077.tif 000009
【図９】
0003779077.tif 000010
【図１０】
0003779077.tif 000011
【図１１】
0003779077.tif 000012
【図１２】
0003779077.tif 000013
【図１３】
0003779077.tif 000014
【図１４】
0003779077.tif 000015
【図１５】
0003779077.tif 000016
【図１６】
0003779077.tif 000017
【図１７】
0003779077.tif 000018
【図１８】
0003779077.tif 000019
【図１９】
0003779077.tif 000020
【図２０】
0003779077.tif 000021
【図２１】
0003779077.tif 000022
【図２２】
0003779077.tif 000023
【図２３】
0003779077.tif 000024
【図２４】
0003779077.tif 000025
【図２５】
0003779077.tif 000026
【図２６】
0003779077.tif 000027
【図２７】
0003779077.tif 000028
【図２８】
0003779077.tif 000029